(57)【要約】      （修正有）【課題】演奏者は、ピアノ等の楽器の演奏中に、自らの手で、譜面台上に載置された楽譜本の譜面を素早く且つ確実に捲ることを可能にし、演奏の中断を防止する楽譜速捲り動作補助用具を提供する。【解決手段】譜面台１００上の楽譜本ＢＫ１の、見開き状態にある譜面ＦＳの左側頁及びそれ以前の全頁の上縁左寄り部分を、別の本ＢＫ２とともに、クリップ１０で挟み込む。クリップ１０の表面１Ｓ内には磁石７が埋設されており、表面７Ｓは、表面１Ｓより突出している。譜面ＦＳの右頁Ｓ１及び次の見開き状態の譜面ＦＳ１の右頁Ｓ２等の各上縁右寄り部をゼムクリップ３０等で挟み込む。譜面ＦＳから見て３番目の見開き状態の譜面の右頁以降の譜面をクリップ２０で挟み、各譜面Ｓ１等の側縁中央部をゼムクリップ４０等で挟み込む。演奏中、右頁Ｓ１を素早く捲ると、当該頁Ｓ１は隙間を空けて磁石７の表面７Ｓに付着し、隙間に指を入れて譜面Ｓ１を素早く元の見開き状態に戻すことも出来る。【選択図】図４
0003192938.tif 000002
【実用新案登録請求の範囲】
【請求項１】
楽譜の速捲り動作を補助するための第１補助用具を備えており、
前記第１補助用具は、
少なくとも見開き状態の譜面のうちの左頁の上縁左寄り部分をバネ力によって挟み込むための一方のクリップ部分及び他方のクリップ部分を備える第１クリップと、
前記第１クリップが少なくとも前記左頁の前記上縁左寄り部分を挟み込んでいる状態に於いては演奏者側に位置する前記一方のクリップ部分の表面に配設された第１磁石と
を備えており、
前記第１磁石のうちで前記第１磁石の底面から所定の高さまでの部分は、前記一方のクリップ部分の前記表面に埋設されており、前記第１磁石の前記底面から見て前記所定の高さに該当する部分から前記第１磁石の表面までの部分は、前記一方のクリップ部分の前記表面より露出している
ことを特徴とする、楽譜速捲り動作補助用具。
【請求項２】
請求項１に記載の楽譜速捲り動作補助用具であって、
前記見開き状態の楽譜の速捲り動作を補助するための第２補助用具を更に備えており、
前記第２補助用具は、
前記見開き状態にある前記譜面の多くとも次頁以降の見開き状態の譜面の右頁の上縁右寄り部分をバネ力によって挟み込むための一方のクリップ部分及び他方のクリップ部分を備える第２クリップと、
前記第２クリップが多くとも前記次頁以降の見開き状態の譜面の前記右頁の前記上縁右寄り部分を挟み込んでいる状態に於いては、演奏者側に位置する前記第２クリップの前記一方のクリップ部分の表面に配設された第２磁石と
を備えており、
前記第２磁石のうちで前記第２磁石の底面から所定の高さまでの部分は、前記第２クリップの前記一方のクリップ部分の前記表面に埋設されており、前記第２磁石の前記底面から見て前記所定の高さに該当する部分から前記第２磁石の表面までの部分は、前記第２クリップの前記一方のクリップ部分の前記表面より露出している
ことを特徴とする、楽譜速捲り動作補助用具。
【請求項３】
請求項２に記載の楽譜速捲り動作補助用具であって、
第３補助用具として、
少なくとも、前記見開き状態の譜面のうちの右頁の上縁右寄り部分に挟み込まれる第１ゼムクリップを
更に備えることを特徴とする、楽譜速捲り動作補助用具。
【請求項４】
請求項３に記載の楽譜速捲り動作補助用具であって、
少なくとも、前記見開き状態の譜面のうちの右頁の右側縁部分に挟み込まれる第２ゼムクリップより成り、次頁の見開き状態の譜面の前記右頁に向けて折れ曲がった一方の先端部を有する第４補助用具を
更に備えることを特徴とする、楽譜速捲り動作補助用具。
【請求項５】
請求項４に記載の楽譜速捲り動作補助用具であって、
前記第４補助用具は、前頁の見開き状態の譜面の右頁に向けて折曲がった他方の先端部を更に有する
ことを特徴とする、楽譜速捲り動作補助用具。
【考案の詳細な説明】
【技術分野】
【０００１】
本考案は、ピアノ等の鍵盤楽器、管楽器又は打楽器等の各種楽器用の譜面台に載置された楽譜を速捲り動作をするときの補助用具に関するものである。
【背景技術】
【０００２】
例えば、ピアノ又はオルガン等の鍵盤楽器の演奏又はその練習を行っている場合に、譜面を暗譜していない限りは、演奏者は、比較的に分厚い楽譜本を上記楽器の譜面台に載置して使用している。曲の譜面の頁数が３頁以上に亘るときには、演奏者は、演奏中に自ら譜面捲りを行わなければならず、その度に演奏が中断してしまうという問題が生じる。
【０００３】
この点を解消するためには、従来、ページ捲りをする補助者を傍に付けるか、又は、楽譜をコピーして、それらのコピーを譜面台上に横一列に並べることで、演奏又は演奏の練習が行われている。
【先行技術文献】
【特許文献】
【０００４】
【特許文献１】特開２０１４−０２３８８９号
【特許文献２】特開２０１０−２４７５３１号
【特許文献３】特公平０７−０３８１０６号
【特許文献４】実開平０４−３２５０８号（コの字型ヨークに嵌着された永久磁石、図１）
【考案の概要】
【考案が解決しようとする課題】
【０００５】
上記の問題点を解決する一つの手段として、特許文献１は、管楽器の演奏等で使用される立脚型の従来の譜面台に、ネオジウム磁石を介して接合できる「楽譜の誤めくれ防止具」を提案しており、当該防止具の表側に設けられた譜面載置部分には、両側に五線譜状に複数のマグネットが設けられている。
【０００６】
しかし、この提案に係る防止具を楽譜捲りの補助用具として適用する場合には、基本的に木材より成る鍵盤楽器の譜面台には適用することが出来ないし、捲られる楽譜のページに取り付けられたゼムクリップが両側の各五線譜状の磁石に磁力によりくっついてしまうと、当該ページを元に戻して演奏する必要性があるときに当該ページを元に戻しにくいという難点がある。しかも、ピアノの楽譜本のように、演奏対象の楽譜が分厚い楽譜本の一部分になってくると、適切に楽譜本を当該防止具に適用させることが困難となる。
【０００７】
また、特許文献２は、自動的に楽譜の送り又は戻しを行うことが出来る装置を提案しているが、ピアノ等の鍵盤楽器の演奏時に譜面台として適用することは難しいと思われる。
【０００８】
本願の考案は、以上の問題点に鑑みて成されたものであり、その主目的は、楽譜本の厚さに関係なく、演奏中に楽譜又は楽譜本のページ捲りを、素早く且つ容易に演奏者自らが行うことができ、また、捲ったページを同様に素早く且つ容易に元に戻すことを可能にする楽譜速捲り動作補助用具を提案することにある。
【課題を解決するための手段】
【０００９】
本考案の主題に係る楽譜速捲り動作補助用具は、楽譜の速捲り動作を補助するための第１補助用具を備えており、前記第１補助用具は、少なくとも見開き状態の譜面のうちの左頁の上縁左寄り部分をバネ力によって挟み込むための一方のクリップ部分及び他方のクリップ部分を備える第１クリップと、前記第１クリップが少なくとも前記左頁の前記上縁左寄り部分を挟み込んでいる状態に於いては演奏者側に位置する前記一方のクリップ部分の表面に配設された第１磁石とを備えており、前記第１磁石のうちで前記第１磁石の底面から所定の高さまでの部分は、前記一方のクリップ部分の前記表面に埋設されており、前記第１磁石の前記底面から見て前記所定の高さに該当する部分から前記第１磁石の表面までの部分は、前記一方のクリップ部分の前記表面より露出していることを特徴とする。
【考案の効果】
【００１０】
本考案の主題によれば、見開き状態の譜面の右頁の上縁右寄り部分に事前にゼムクリップが挟み込まれている場合には、演奏者は、演奏中に、当該右頁を捲って当該ゼムクリップを一方のクリップ部分の第１磁石の突出した表面に確実に且つ素早く付着させることができ、次の演奏頁を素早く且つ確実・容易に見開き状態とすることが出来る。そのため、譜面の捲り動作によって、演奏が中断される事態は生じない。しかも、第１磁石の表面は突出しているので、その間に生じる間隙を利用して、演奏者は、譜面中の繰り返し記号等に応じて、捲った後の頁を元の見開き状態に素早く且つ確実・容易に戻すことができ、この場合に於いても演奏の中断は生じない。
【００１１】
本考案の主題に於いては、ピアノ・オルガン等の鍵盤楽器に於いても、演奏中の譜面の素早い捲り及び戻りの動作を可能とし得る。
【００１２】
以下、本考案の様々な具体化を、添付図面を基に、その効果・利点とともに詳述する。
【図面の簡単な説明】
【００１３】
【図１】本考案の実施の形態１に係る楽譜速捲り動作補助用具のうちの第１及び第２補助用具の構造を模式的に示す図である。
【図２】本考案の実施の形態１に係る楽譜速捲り動作補助用具のうちの第３補助用具（第１ゼムクリップ）の構造を模式的に示す平面図である。
【図３】本考案の実施の形態１に係る楽譜速捲り動作補助用具のうちの第４補助用具（第２ゼムクリップ）の構造を模式的に示す側面図である。
【図４】本考案の実施の形態１に係る楽譜速捲り動作補助用具を用いて、ピアノの譜面台に配置された楽譜の速捲り動作を模式的に示す図である。
【考案を実施するための形態】
【００１４】
（実施の形態１）
＜本実施の形態に係る「楽譜速捲り動作補助用具」の全体構成＞
【００１５】
楽譜速捲り動作補助用具（楽譜クリップセット）は、演奏者自身による楽譜の速捲り動作を補助するための道具であり、大要、１）第１補助用具（図１参照）、２）第２補助用具（図１を援用する）、３）第３補助用具としての第１ゼムクリップ（ミニクリップとも言う）３０（図２参照）、及び、４）第４補助用具としての第２ゼムクリップ４０（図３参照）より成る。
【００１６】
これらのうちで、第１補助用具に於ける「第１クリップ」は、少なくとも、現に見開き状態にある譜面のうちの左頁の上縁左寄り部分をバネ力によって挟み込むための構成要素であり、バネを介して互いに対向する一方のクリップ部分及び他方のクリップ部分を有する。同様に、第２補助用具に於ける「第２クリップ」は、現に見開き状態にある譜面の多くとも次頁以降の見開き状態の譜面の右頁の上縁右寄り部分をバネ力によって挟み込むための構成要素であり、バネを介して互いに対向する一方のクリップ部分及び他方のクリップ部分を有する。
【００１７】
つぎに、第１ゼムクリップ３０は、少なくとも、現に見開き状態にある譜面の右頁の上縁右寄り部分に嵌め込まれるミニクリップである。
【００１８】
また、第２ゼムクリップ４０は、後述する通り、その側面視構成がＬ字型又はＴ字型となるように先端を折り曲げられた構造を有する補助用具であり、見開き状態の譜面のうちで捲り対象譜面の右側縁中央又はその下部等の部分に嵌め込まれるゼムクリップの一種である。
【００１９】
以下、図面を参照して、本実施の形態に係る楽譜速捲り動作補助用具の各構成要素の構造を記載する。
【００２０】
＜第１補助用具の構造＞
図１は、本実施の形態に係る楽譜速捲り動作補助用具のうち、「第１補助用具」を構成する第１クリップ１０及び第１磁石７の構造を模式的に示す図である。そのうち、図１（ａ）は、第１補助用具の平面図であり、図１（ｂ）は、第１補助用具の背面図（立面図）であって、口を開けた状態での模式図であり、図１（ｃ）は、口を閉じた状態での第１補助用具の右側面図に該当する。以下、図１を参照しつつ、第１補助用具の構造を詳述する。
【００２１】
図１に例示されるように、第１クリップ１０は基本的にバタフライ形クリップの構造を有しており、バネ３を介して互いに対向する一方のクリップ部分１及び他方のクリップ部分２を備える。ここで、一方のクリップ部分１及び他方のクリップ部分２は、例えば、プラスチックで構成されており、一方のクリップ部分１の表面１Ｓの上部には、指を当て易くするための僅かな深みの窪み部１ＲＰが設けられている。なお、図示の便宜上、窪み部１ＲＰの側面はハッチング表示されている。また、鉄芯４にはバネ３が巻き付けられており、バネ３の左右の各端部はそれぞれ一方のクリップ部分１の裏面１Ｒ及び他方のクリップ部分２の裏面２Ｒに接合されている。その上で、一方のクリップ部分１の裏面１Ｒに結合された支持部５及び他方のクリップ部分２の裏面２Ｒに結合された支持部６の各中央部は、共に鉄芯４により嵌合・貫通されることで、一方のクリップ部分１及び他方のクリップ部分２は鉄芯４を介して一体的に結合されている。ここで、参照符号２Ｓは、他方のクリップ部分２の表面を示す。後述する通り、演奏者は、演奏前に於いて、事前に、手の指で一方のクリップ部分１及び他方のクリップ部分２を挟んで押圧を加えることで、両クリップ部分１，２を口が空いた状態にして、楽譜本等を一方のクリップ部分１及び他方のクリップ部分２により挟み込む。
【００２２】
図１では便宜上ハッチング表示されている１個の強力な第１磁石７は、例えばネオジウム磁石より成り、第１補助用具の特徴的部分を成す。即ち、第１磁石７は、第１クリップ１０が現に見開き状態にある譜面のうちの左頁の上縁左寄り部分を挟み込んでいる状態に於いては演奏者から目視される一方のクリップ部分１の表面１Ｓの下部に配設されている。また、第１磁石７のうちで、第１磁石７の底面７ＢＳから第１高さ（「所定の高さ」に該当。）Ｈ１までの部分は、一方のクリップ部分１の表面１Ｓ内に埋設されている。他方、第１磁石７の残部、即ち、第１磁石７の底面７ＢＳから見て第１高さＨ１に該当する部分から表面７Ｓまでの第２高さＨ２までの部分は、一方のクリップ部分１の表面１Ｓより全体的に露出している。例えば、図１（ａ）に於いて、第１磁石７の横寸法は４６ｍｍであり、縦寸法は２０ｍｍであり、厚み寸法は６ｍｍである。又、第１磁石７の表面７Ｓには、一方のクリップ部分１の表面上と同様に、装飾用のシールが貼付されてもよい。なお、強い磁力を発する磁石７としては、特許文献４の図１に例示されている構造の永久磁石（コの字型の鉄板のヨークで囲まれた永久磁石。）を用いてもよい。
【００２３】
＜第２補助用具の構造＞
第２補助用具は、既述の通り、第１補助用具と同様の構造を有している。従って、第２補助用具の記載に関しては、図１の開示内容及び上記の第１補助用具に関する記載内容を援用する。そこで、第２補助用具を成す「第２クリップ」及び「第２磁石」の各々は、図１に於ける第１クリップ１０及び第１磁石７の各々に該当する。以下の記載では、第２補助用具の第２クリップ及び第２磁石を、各々、第２クリップ２０及び第２磁石７と記載することとする。また、第２クリップ２０の一方のクリップ部分及び他方のクリップ部分の各々を、図１の参照符号を使用して、一方のクリップ部分１及び他方のクリップ部分２と記載する。勿論、第２補助用具に於いても、その構造の中核部を成す部分は、第２クリップ２０の一方のクリップ部分１の表面１Ｓから露出した部分を有する第２磁石７である。
【００２４】
このような突出した第２磁石を有する第２補助用具を用いる理由ないし観点は、譜面中に「繰り返し記号」等の譜面の戻し動作を必要とする指示が成されている場合の演奏に対しても対応可能とする点にある。即ち、譜面の戻し動作により譜面が元の見開き状態に戻されたときにおいても、以下に記載する、譜面の右頁の上縁右寄り部に嵌め込まれた第１ゼムクリップは素早く且つ確実に第１磁石７の突出表面に磁力により付着・固定され、しかも、第１磁石７の突出高さ（第２高さ）Ｈ２に応じた間隙が形成される。
【００２５】
＜第３補助用具の構造＞
図２は、既述の「第３補助用具」に該当する第１ゼムクリップ３０の構造を模式的に示す正面図である。第１ゼムクリップ３０自体は、市場に於いて一般的に購入可能な文房具としてのゼムクリップであり、例えばプラスチックの色と合一の色を有する金属で以ってメタリック塗装が施されている。「第３補助用具」を成す第１ゼムクリップ３０の数は、複数個である。
【００２６】
本実施の形態に於いては、１個乃至３個の数の第１ゼムクリップ３０が、楽譜速捲り動作を補助する道具として利用される（後述する図４を参照）。即ち、第１ゼムクリップ３０の一つは、譜面台に載置された楽譜本のうちで、見開き状態にある譜面の右頁の上縁右寄り部分に嵌め込まれる。もう一つの第１ゼムクリップ３０Ａは、当該見開き状態の譜面の右頁の次々頁の上縁右寄り部分に嵌め込まれる。第３番目の第１ゼムクリップ３０Ｂは、更に次々頁の上縁右寄り部分に嵌め込まれる。使用時に於いては、これらの３個の第１ゼムクリップ３０，３０Ａ，３０Ｂの位置は、互いにずらされる。
【００２７】
＜第４補助用具の構造＞
図３（ａ）は、本楽譜速捲り動作補助用具のうちの「第４補助用具」に該当する第２ゼムクリップ４０の構造を模式的に示す左側面図である。第２ゼムクリップ４０の素材自体は、第１ゼムクリップ３０の場合と同様に、市場に於いて一般的に購入可能な文房具としてのゼムクリップであるが、次の特徴的構造を備える。即ち、第２ゼムクリップ４０は、鉛直な本体部に対して所定の角度（例えば９０°前後。その他の角度でもよい。）で折曲がった一方の先端部４０Ｐ１を有する。従って、左側面方向から第２ゼムクリップ４０を眺めた場合には、一方の先端部４０Ｐ１は略Ｌ字型の構造を呈する。斯かる構造の一方の先端部４０Ｐ１は、隣り合った見開き状態の譜面の右頁同士の間に、演奏者の指を、余裕を以って挟み込むことが可能な寸法の間隙を作り出す。換言すれば、この間隙を作り出すことができるように、一方の先端部４０Ｐ１の上記角度は設定される。なお、図３（ｂ）は、後述する第２ゼムクリップ４０の変形例の構造を模式的に示す左側面図である。
【００２８】
本実施の形態に於いては、第１ゼムクリップ３０の使用数に応じて、１個乃至３個の数の第２ゼムクリップ４０が、楽譜速捲り動作を補助する用具として利用される。後述する図４を参照して、第１番目の第２ゼムクリップ４０は、譜面台に載置された楽譜本のうちで見開き状態にある譜面の右頁の右側縁の所定箇所（例えば中央部又はその下部。）に嵌め込まれる。斯かる第２ゼムクリップ４０の嵌め込みにより、所定の角度でＬ字状に折れ曲がった第２ゼムクリップ４０の一方の先端部４０Ｐ１は、当該見開き状態にある譜面の右頁と、次の見開き状態の譜面に於ける右頁との間に、指を挟み込み得る間隙を作り出す。つぎに、第２番目の第２ゼムクリップ４０Ａは、次の見開き状態の譜面の右頁の右側縁のうちで、第２ゼムクリップ４０の嵌め込み位置に対してずれた所定の箇所に、嵌め込まれる。その結果、第２ゼムクリップ４０Ａの一方の先端部４０ＡＰ１は、次の見開き状態の譜面に於ける右頁と、更に次の見開き状態の譜面に於ける右頁との間に、指を挟み込み得る新たな間隙を作り出す。さらに、第３番目の第２ゼムクリップ４０Ｂは、上記の更に次の見開き状態の譜面の右頁の右側縁のうちで、第２ゼムクリップ４０，４０Ａの嵌め込み位置に対してずれた所定の箇所に、嵌め込まれる。その結果、第２ゼムクリップ４０Ｂの一方の先端部４０ＢＰ１は、上記の更に次の見開き状態の譜面に於ける右頁と、更に次の見開き状態の譜面に於ける右頁との間に、指を挟み込み得る、新たな間隙を作り出す。上記の通り、使用時に於いては、これらの３個の第２ゼムクリップ４０，４０Ａ，４０Ｂの位置は、互いにずらされる。
【００２９】
上記のようなＬ字型形状の第２ゼムクリップ４０，４０Ａ，４０Ｂを用いている理由は、演奏中の楽曲が長いために、演奏中に譜面の捲り動作が２回又は３回必要となるケースに対して確実に対応可能とするためである。
【００３０】
＜楽譜速捲り動作補助用具を使用した楽譜速捲り動作の記載＞
【００３１】
図４は、本実施の形態に係る楽譜速捲り動作補助用具（７，１０，２０，３０，４０）を用いて、ピアノ２００の譜面台１００に載置された楽譜本ＢＫ１のうちで、見開き状態にある譜面ＦＳの捲り対象の右側譜面シートＳ１，Ｓ２を演奏者が自ら速捲り動作する場合を模式的に示す図である。ここでは、楽器としては、鍵盤楽器として代表的なピアノ２００が適用されるが、勿論、弦楽器、管楽器又は打楽器等の他の楽器に本楽譜速捲り動作補助用具が適用されてもよい。
【００３２】
なお、図４に於いては、３つの第１ゼムクリップ３０と３つの第２ゼムクリップ４０が該当する頁に挟み込まれている状態が表されているが、以下では、記載の便宜上、２つの第１ゼムクリップ３０と２つの第２ゼムクリップ４０が該当頁に挟み込まれている場合について記載する。
【００３３】まず、演奏者は、比較的に分厚いピアノ演奏用の楽譜本（例えば「大人のピアノ楽譜本」厚さは約１ｃｍ）ＢＫ１を開いて、その見開き状態の譜面ＦＳの前の全ページ部分、及び、その下敷き本となる非演奏対象本ＢＫ２（例えば（公序良俗違反につき、不掲載）：指の練習本で厚みが約６ｍｍ）を、図１の第１磁石７付きの第１クリップ１０により挟み込んで、楽譜本ＢＫ１をしっかりと支持して固定する。この場合、演奏者は、第１クリップ１０に底部が埋設されて他部が突出する第１磁石７の表面７Ｓが演奏者側に向くように、第１クリップ１０を配置する。また、非演奏対象本ＢＫ２は、楽譜本ＢＫ１の左側ページ部分の裏側に当接されて、楽譜本ＢＫ１とともに挟み込まれて固定される。その際、見開き状態の譜面ＦＳの左頁Ｓ０とそれ以前の全譜面の上縁左寄り部分が、第１クリップ１０により挟み込まれて支持・固定される。
【００３４】
なお、演奏する曲の楽譜頁が、楽譜本の最後の方の頁であるときには、演奏者は、下敷き本を、楽譜本ＢＫ１の右側頁裏に当てた上で、第２クリップ２０により挟み込むことで、楽譜本の右側残り部分を固定することになる。
【００３５】
次に、演奏者は、譜面台１００上に載置された楽譜本ＢＫ１の見開き状態の譜面ＦＳの右頁Ｓ１の上縁右寄り部分に第１ゼムクリップ３０を挟み込む。更に、次の見開き状態の譜面ＦＳ１の右頁Ｓ２をも演奏中に捲る必要性がある場合には、演奏者は、当該右頁Ｓ２の上縁右寄り部分にも第１ゼムクリップ３０Ａを挟み込む。この場合、第１ゼムクリップ３０，３０Ａの各々が第２クリップ２０の第２磁石７の表面上にも磁力により付着するように、演奏者は、第１ゼムクリップ３０，３０Ａの挟み込み位置を相互にずらしてセッティングする。
【００３６】
その次に、演奏者は、第１ゼムクリップ３０，３０Ａと同様に、捲る必要性のある譜面ＦＳの右頁Ｓ１の右側縁の所定位置（例えば中央部。）に第２ゼムクリップ４０を挟み込む。このとき、第２ゼムクリップ４０の、例えばＬ字型に折れ曲がった一方の先端部４０Ｐ１は、次に捲る必要性のある譜面ＦＳ１の右頁Ｓ２側に向いて配置されて当該右頁Ｓ２に当接する。その結果、右頁Ｓ１と次の右頁Ｓ２との間に、右頁を捲る人の指を挿入することが十分に可能な間隙が形成される。その上で、演奏者は、次の見開き状態の譜面ＦＳ１の右頁Ｓ２の右側縁の所定箇所にも、２番目の第２ゼムクリップ４０Ａを挟み込む。このとき、第２ゼムクリップ４０Ａの、例えばＬ字型に折れ曲がった一方の先端部４０ＡＰ１は、次に捲る必要性のある譜面ＦＳ２の右頁Ｓ３側に向いて配置されて当該右頁Ｓ３に当接する。その結果、右頁Ｓ２と次の右頁Ｓ３との間にも、右頁を捲る人の指を挿入することが十分に可能な間隙が形成される。しかも、２番目の第２ゼムクリップ４０Ａの一方の先端部４０ＡＰ１は右頁Ｓ３の表面に当接し且つ右頁Ｓ２の「重り」としての機能を奏するので、見開き状態の譜面ＦＳの右頁Ｓ１を演奏者が捲っても、次の右頁Ｓ２が当該捲り動作時に生ずる風によって捲り上がることは無く、且つ、更に次の右頁Ｓ３も上記捲り動作による影響（浮き上がり又は横ずれ等）を受けることはない。
【００３７】
上記のとおり、両ゼムクリップ３０，４０のセッティングを終えた段階で、演奏者は、捲り対象の譜面の右頁Ｓ１，Ｓ２を順次に右側から左側へと手捲りして、右頁Ｓ１，Ｓ２の第１ゼムクリップ３０，３０Ａが第１クリップ１０の第１磁石７の突出した表面７Ｓに付着するのを確認する。続いて、演奏者は、逆に、左頁Ｓ０の上縁左寄り部に密着した第１ゼムクリップ３０Ａ，３０が、捲ったページを順次に元の見開き状態に戻す動作により、右頁側の第２クリップ２０の第２磁石７の突出表面７Ｓに付着するのを確認する。
【００３８】
これらの事前の作業を経て、演奏者は、譜面台１００上に載置された楽譜本ＢＫ１の見開き状態の譜面を見て演奏を開始する。
【００３９】
ピアノの演奏中に於いて、見開き状態の譜面ＦＳの右頁Ｓ１を捲る段階に来た場合に、演奏者は、素早く、次の右頁Ｓ２との間に十分な間隙を有している右頁Ｓ１の一部分を指で掴んで、その状態のまま当該右頁Ｓ１を捲って、右頁Ｓ１の上縁右寄り部にある第１ゼムクリップ３０を、突出している第１磁石７の表面７Ｓに当てる。そうすると、瞬間的に、第１磁石７が生成する磁場によって、当該右頁Ｓ１上の常磁性体である第１ゼムクリップ３０は磁化されて、突出した第１磁石７の表面７Ｓに付着され、その結果、当該右頁Ｓ１は、瞬間的に素早く且つ確実・容易に、裏返されて捲られた状態のままで、第１磁石７の表面７Ｓに付着されて支持・固定される。
【００４０】
この場合、第１磁石７の表面７Ｓは第２高さＨ２だけ第１クリップ１０の表面１Ｓよりも突出しているため、第１クリップ１０の表面１Ｓと第１磁石７の表面７Ｓに付着されている右頁Ｓ１の表面との間には、空隙が生じている。この空隙の空間を利用して、演奏者は、指を当該空隙に挿入することで、容易に且つ瞬間的に、付着されている右頁Ｓ１を第１磁石７の表面７Ｓから引き離すことが可能である。従って、演奏者は、見開き状態にあった譜面ＦＳの右頁Ｓ１の速捲り動作の実現のみならず、次頁又は次々頁の譜面中に「繰り返し記号」、「ダカーポ記号」又は「ダルセーニョ記号」が音符と共に記載されているために捲った譜面Ｓ１を元の状態に戻す作業が必要な場合に於いても、演奏を中断させることなく、瞬間的に素早く且つ確実・容易に、第１磁石７の表面７Ｓ上の右頁Ｓ１を元の状態に戻して、繰り返しの演奏を続けることが出来る。
【００４１】
演奏者は、演奏が進んで、次の見開き状態にある譜面ＦＳ１の右頁Ｓ２の速捲り動作が必要となった段階で、右頁Ｓ２の一部分を指で掴んで、その状態のまま当該右頁Ｓ２を捲って上縁右寄り部の第１ゼムクリップ３０Ａを第１磁石７の表面７Ｓに当てる。この場合、第１ゼムクリップ３０Ａの配設位置は、第１ゼムクリップ３０の配設位置よりもシフトされている。この場合に於いても、瞬間的に、右頁Ｓ２の上縁右寄り部に挟まれている第１ゼムクリップ３０Ａは磁化されて、突出した第１磁石７の表面７Ｓに付着され、その結果、右頁Ｓ２もまた、瞬間的に素早く且つ確実・容易に、裏返されて捲られた状態のままで、第１磁石７の表面７Ｓに付着されて支持・固定される。しかも、この場合に於いても、第１クリップ１０の表面１Ｓと第１磁石７の表面７Ｓに付着されている右頁Ｓ２の表面との間には、空隙が生じているので、同様に、演奏者は、右頁Ｓ２の戻り動作を、瞬間的に素早く且つ確実・容易に実行することが出来る。如何なる場合に於いても、演奏の中断状態が生じることが防止され得る。勿論、戻り動作後の見開き状態の譜面中に「コーダー記号」がある場合にも、演奏者は、素早く、移動すべき譜面の捲り動作を同様に素早く且つ確実に行うことが出来る。
【００４２】
なお、曲が長くなる程に、その譜面の頁数・捲り回数・戻り回数に応じて、第１ゼムクリップ３０及び第２ゼムクリップ４０の数を増やせばよい。
【００４３】
（変形例１）
第２ゼムクリップ４０の構造を、図３（ｂ）に例示されるようなＴ字型クリップに置換してもよい。この場合、一方の端部４０Ｐ１とは反対方向にＬ字型形状に折り曲げられて延在する他方の端部４０Ｐ２は、第２ゼムクリップ４０の右頁の右側縁に挟み込まれた状態に於いては、前頁の見開き状態の譜面の右頁に向けて折曲がった端部となる。例えば、図４に例示される第２ゼムクリップ４０Ａに対して本変形例が適用された場合には、第２ゼムクリップ４０Ａは、本右頁の前頁の表面及び次頁の表面の両方に当接して支持する「重り」機能を奏することとなり、両頁間の間隙をより安定的に広げることが出来る。その結果、演奏者は、捲る対象の右頁をより容易く指で掴んで安定的に素早く捲ることが可能となる。
【００４４】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することのない範囲内で考えることが可能である。
【産業上の利用可能性】
【００４５】
本考案は、ピアノ等の各種楽器の譜面台上に置かれた楽譜の速捲り動作を補助するための道具に適用して好適なるものである。
【符号の説明】
【００４６】
１  一方のクリップ部分
２  他方のクリップ部分
３  第１バネ
７  第１磁石（第２磁石）
Ｈ１  第１高さ（所定の高さ）
Ｈ２  第２高さ
１Ｓ  一方のクリップ部分の表面
１０  第１クリップ
２０  第２クリップ
３０，３０Ａ，３０Ｂ  第１ゼムクリップ
４０，４０Ａ，４０Ｂ  第２ゼムクリップ
４０Ｐ１  第２ゼムクリップの一方の先端部
４０Ｐ２  第２ゼムクリップの他方の先端部
Ｓ１，Ｓ２  捲り対象の譜面
ＦＳ，ＦＳ１  見開き状態の譜面
１００  譜面台
【図１】
0003192938.tif 000003
【図２】
0003192938.tif 000004
【図３】
0003192938.tif 000005
【図４】
0003192938.tif 000006
【手続補正書】
【提出日】平成26年7月8日(2014.7.8)
【手続補正１】
【補正対象書類名】明細書
【補正対象項目名】００３３
【補正方法】変更
【補正の内容】
【００３３】
まず、演奏者は、比較的に分厚いピアノ演奏用の楽譜本（例えば「大人のピアノ楽譜本」厚さは約１ｃｍ）ＢＫ１を開いて、その見開き状態の譜面ＦＳの前の全ページ部分、及び、その下敷き本となる非演奏対象本ＢＫ２（例えば指の練習本で厚みが約６ｍｍ）を、図１の第１磁石７付きの第１クリップ１０により挟み込んで、楽譜本ＢＫ１をしっかりと支持して固定する。この場合、演奏者は、第１クリップ１０に底部が埋設されて他部が突出する第１磁石７の表面７Ｓが演奏者側に向くように、第１クリップ１０を配置する。また、非演奏対象本ＢＫ２は、楽譜本ＢＫ１の左側ページ部分の裏側に当接されて、楽譜本ＢＫ１とともに挟み込まれて固定される。その際、見開き状態の譜面ＦＳの左頁Ｓ０とそれ以前の全譜面の上縁左寄り部分が、第１クリップ１０により挟み込まれて支持・固定される。